(57)【特許請求の範囲】
【請求項１】
室内空間と室外空間との境界に設けられ、前記室内空間と前記室外空間との間での通過光量を通常時の半透明と通常値より多い透明と通常値より小さい不透明とに調節可能な遮光部と、
前記室外空間の所定範囲における人体を検知する室外センサと、
前記前記室内空間における室内空間から前記境界に設けられた透明仕切部材に接触する事象又は室内空間にいる人体の視線が前記透明仕切部材に向いた事象を検出する室内センサと、
前記室外センサによって前記人体が検知された場合、前記室内センサによる検出内容に係わらず、前記通過光量を所定の通常値の半透明より少ない不透明とし、前記室外センサによって前記人体が検知されず、前記室内センサによって前記事象が検出された場合に前記通過光量を前記通常値の半透明より多い透明とするよう前記遮光部を制御する遮光制御部と、
を備えた空間仕切装置。
【請求項２】
前記遮光部は、前記透明仕切部材に備えられ、印加電圧に応じて透過率が変化する液晶モジュールであり、
前記遮光制御部は、前記遮光部に対する印加電圧を変化させることにより前記遮光部の透過率を制御することを特徴とする請求項１に記載の空間仕切装置。
【請求項３】
前記室内センサは、前記透明仕切部材に対する室内空間側からの接触を検出する接触センサを含み、
前記遮光制御部は、前記室外センサによって前記人体が検知されず、前記接触センサによって前記透明仕切部材に対する接触が検出されている間、前記通過光量を前記通常値より多くするよう前記遮光部を制御することを特徴とする請求項２に記載の空間仕切装置。
【請求項４】
前記室内センサは、前記室内空間で発生する音声を検出する音センサを含み、
前記遮光制御部は、前記室外センサによって前記人体が検知されず、前記音センサによって検出された音声が所定の開始音である場合に、前記通過光量を前記通常値より多くするよう前記遮光部を制御することを特徴とする請求項１から請求項３のいずれかに記載の空間仕切装置。
【請求項５】
前記遮光制御部は、前記所定の開始音が検出されて前記通過光量を前記通常値より多くした後に、前記音センサによって所定の終了音が検出された場合に、前記通過光量を前記通常値以下にするよう前記遮光部を制御することを特徴とする請求項４に記載の空間仕切装置。
【請求項６】
前記遮光制御部は、前記所定の開始音が検出されて前記通過光量を前記通常値より多くした時点から所定期間経過後に、前記通過光量を前記通常値以下にするよう前記遮光部を制御することを特徴とする請求項４または請求項５に記載の空間仕切装置。
【請求項７】
前記室内空間における人体の安否を確認するための情報を検出する安否センサをさらに備え、
前記遮光制御部は、前記安否センサによって検出される情報が、前記室内空間における人体の安全を表す所定の条件を満たさない場合、前記室外センサによる検知の有無および前記室内センサによる検出内容に係わらず、前記通過光量を前記通常値より大きくすることを特徴とする請求項１から請求項６のいずれかに記載の空間仕切装置。
【請求項８】
前記安否センサは、前記室内空間における人体の動きを検出するセンサを含み、
前記遮光制御部は、前記室内空間における人体の動きが所定期間検出されない場合、前記通過光量を前記通常値より大きくすることを特徴とする請求項７に記載の空間仕切装置。
【請求項９】
室内空間と室外空間との境界に設けられ、前記室内空間と前記室外空間との間での通過光量を通常時の半透明と通常値より多い透明と通常値より小さい不透明とに調節可能な遮光部と、
前記室外空間の所定範囲における人体を検知する室外センサと、
前記前記室内空間における室内空間から前記境界に設けられた透明仕切部材に接触する事象又は室内空間にいる人体の視線が前記透明仕切部材に向いた事象を検出する室内センサとを用いて、
前記室外センサによって前記人体が検知された場合に、前記室内センサによる検出内容に係わらず、前記通過光量を所定の通常値の半透明より少ない不透明とするよう前記遮光部を制御し、
前記室外センサによって前記人体が検知されず、前記室内センサによって前記事象が検出された場合に前記通過光量を前記通常値の半透明より多い透明とするよう前記遮光部を制御する、空間仕切方法。
【請求項１０】
室内空間と室外空間との境界に設けられ、前記室内空間と前記室外空間との間での通過光量を通常時の半透明と通常値より多い透明と通常値より小さい不透明とに調節可能な遮光部と、
前記室外空間の所定範囲における人体を検知する室外センサと、
前記前記室内空間における室内空間から前記境界に設けられた透明仕切部材に接触する事象又は室内空間にいる人体の視線が前記透明仕切部材に向いた事象を検出する室内センサとを用いて制御するコンピュータ装置に、
前記室外センサによって前記人体が検知された場合に、前記室内センサによる検出内容に係わらず、前記通過光量を所定の通常値の半透明より少ない不透明とするよう前記遮光部を制御する室外センサ検知ステップと、
前記室外センサによって前記人体が検知されず、前記室内センサによって前記事象が検出された場合に前記通過光量を前記通常値の半透明より多い透明とするよう前記遮光部を制御する室内センサ検出ステップと、
を実行させるコンピュータ・プログラム。
【発明の詳細な説明】
【技術分野】
【０００１】
本発明は、室内空間と室外空間とを仕切る空間仕切装置に関し、特に、通過光量を調節可能な空間仕切装置、空間仕切方法およびコンピュータ・プログラムに関する。
【背景技術】
【０００２】
室内空間と室外空間とを仕切る空間仕切装置として、通過光量を調節可能な空間仕切装置が知られている。
【０００３】
このような空間仕切装置としては、車両内の空間と車両外の空間とを仕切る車両の窓ガラスに液晶を挟持し、車両電源がオフにされると液晶に電圧を印可して透過率を低下させるものがある（例えば、特許文献１参照）。
【０００４】
また、このような他の空間仕切装置としては、車両の窓ガラスからの入射光量を調整する遮光手段を有し、照度センサによって検出される照度と、車両に対する太陽の位置情報とに基づいて、遮光手段の入射光量を制御するものがある（例えば、特許文献２参照）。
【０００５】
また、このような他の空間仕切装置としては、複層ガラスの中空部にブラインドを配置し、このブラインドのルーバーの角度を調整するものがある（例えば、特許文献３参照）。
【０００６】
この特許文献３に記載された空間仕切装置は、ルーバーの一方の面に太陽電池セルを備え、他方の面に採光面を備え、室内の照度および太陽電池セルの発電量が最適となるようルーバー角度を調整する。
【０００７】
また、このような他の空間仕切装置としては、建物の開口部を閉鎖するシャッターカーテンを有し、日射情報や外気温情報といった屋外環境情報に基づいて、シャッタカーテンのスラット角度を調整するものがある（例えば、特許文献４参照）。
【０００８】
また、このような他の空間仕切装置としては、車両の窓から車両内への入射光の透過率を変更して車両内を不可視化する不可視化手段を備え、車両から一定の範囲に侵入する物体を検出すると、不可視化手段の透過率を低下させるものがある（例えば、特許文献５参照）。
【０００９】
また、このような他の空間仕切装置としては、液晶遮蔽部材を窓ガラスの表面を覆う形で設け、センサによって人体を感知すると、液晶遮蔽部材を不透明化し、人体を感知しないと液晶遮蔽部材を透明化するものがある（例えば、特許文献６参照）。
【先行技術文献】
【特許文献】
【００１０】
【特許文献１】実開平６−８７０１６号公報
【特許文献２】特開２００５−３４９９２９号公報
【特許文献３】特開２００７−２３１６１３号公報
【特許文献４】特開２００７−２７７８３３号公報
【特許文献５】特開２００９−１４３２９６号公報
【特許文献６】特開平８−２６０８４６号公報
【発明の概要】
【発明が解決しようとする課題】
【００１１】
しかしながら、特許文献１〜４に記載された空間仕切装置は、室内の照度や室温等の室内環境を最適にするために通過光量を調節している。このため、これらの空間仕切装置は、室外に人が存在する場合等のように、プライバシー保護が必要とされるシーンでも通過光量を多くする場合があり、プライバシー保護性能が低い。さらに、室内環境を快適にするために通過光量を少なくした場合、室内から室外への眺望性が悪くなるという課題があった。
【００１２】
また、特許文献５〜６に記載された空間仕切装置は、室外の所定範囲に物体や人体を感知しないときは入射光の透過率を高くする。すなわち、室外の所定範囲に物体や人体を感知しない場合には常に眺望性が良いことになる。しかしながら、室内に存在する利用者は、集中力を高めたい場合や入眠したい場合等のように、眺望性を望まない場合もある。このため、これらの空間仕切装置は、利用者が眺望性を望まない場合にも眺望性を良くしてしまい、利用者の状況に則した眺望性を確保することができないという課題があった。
【００１３】
本発明は、上述の課題を解決するためになされたもので、室内空間と室外空間とを仕切る空間仕切装置において、プライバシー保護性能を向上させながらも利用者の状況に則した眺望性を確保することができる空間仕切装置を提供することを目的とする。
【課題を解決するための手段】
【００１４】
本発明の空間仕切装置は、室内空間と室外空間との境界に設けられ、前記室内空間と前記室外空間との間での通過光量を調節可能な遮光部と、前記室外空間の所定範囲における人体を検知する室外センサと、前記室内空間における人体の行動に関連して発生する事象を検出する室内センサと、前記室外センサによって前記人体が検知された場合、前記室内センサによる検出内容に係わらず、前記通過光量を所定の通常値より少なくし、前記室外センサによって前記人体が検知されず、前記室内センサによって検出された事象が所定の条件を満たす場合に前記通過光量を前記通常値より多くするよう前記遮光部を制御する遮光制御部と、を備える。
【００１５】
本発明の空間仕切方法は、室内空間と室外空間との境界に設けられ、前記室内空間と前記室外空間との間での通過光量を調節可能な遮光部と、前記室外空間の所定範囲における人体を検知する室外センサと、前記室内空間における人体の行動に関連して発生する事象を検出する室内センサとを用いて、前記室外センサによって前記人体が検知された場合に、前記室内センサによる検出内容に係わらず、前記通過光量を所定の通常値より少なくするよう前記遮光部を制御し、前記室外センサによって前記人体が検知されず、前記室内センサによって検出された事象が所定の条件を満たす場合に前記通過光量を前記通常値より多くするよう前記遮光部を制御する。
【００１６】
本発明のコンピュータ・プログラムは、室内空間と室外空間との境界に設けられ、前記室内空間と前記室外空間との間での通過光量を調節可能な遮光部を、前記室外空間の所定範囲における人体を検知する室外センサと、前記室内空間における人体の行動に関連して発生する事象を検出する室内センサとを用いて制御するコンピュータ装置に、前記室外センサによって前記人体が検知された場合に、前記室内センサによる検出内容に係わらず、前記通過光量を所定の通常値より少なくするよう前記遮光部を制御する室外センサ検知ステップと、前記室外センサによって前記人体が検知されず、前記室内センサによって検出された事象が所定の条件を満たす場合に、前記通過光量を前記通常値より多くするよう前記遮光部を制御する室内センサ検出ステップと、を実行させる。
【発明の効果】
【００１７】
本発明は、プライバシー保護性能を向上させながらも利用者の状況に則した眺望性を確保することができる空間仕切装置を提供することができる。
【図面の簡単な説明】
【００１８】
【図１】本発明の第１の実施の形態としての空間仕切装置の機能ブロック構成図である。
【図２】本発明の第１の実施の形態としての空間仕切装置の設置例を示す図である。
【図３】図２におけるＡ−Ａ断面図である。
【図４】本発明の第１の実施の形態としての空間仕切装置の動作を説明するフローチャートである。
【図５】本発明の第１の実施の形態としての空間仕切装置の動作状態の一例を説明する模式図である。
【図６】本発明の第２の実施の形態としての空間仕切装置の機能ブロック構成図である。
【図７】本発明の第２の実施の形態としての空間仕切装置の設置例の断面図である。
【図８】本発明の第２の実施の形態としての空間仕切装置の動作を説明するフローチャートである。
【図９】本発明の第２の実施の形態としての空間仕切装置の動作状態の一例を説明する模式図である。
【図１０】本発明の第３の実施の形態としての空間仕切装置の機能ブロック構成図である。
【図１１】本発明の第３の実施の形態としての空間仕切装置の設置例の断面図である。
【図１２】本発明の第３の実施の形態としての空間仕切装置の動作を説明するフローチャートである。
【図１３】本発明の第３の実施の形態としての空間仕切装置の動作状態の一例を説明する模式図である。
【発明を実施するための形態】
【００１９】
以下、本発明の実施の形態について、図面を参照して詳細に説明する。
【００２０】
（第１の実施の形態）
本発明の第１の実施の形態としての空間仕切装置１の機能ブロック構成を図１に示す。図１において、空間仕切装置１は、遮光部１１と、室外センサ１２と、室内センサ１３と、遮光制御部１４とを含んでいる。
【００２１】
次に、空間仕切装置１の設置例を図２に示す。図２において、空間仕切装置１は、天井９１、床９２および壁９３を有する室内空間と、その室外空間との境界に備えられている。すなわち、空間仕切装置１は、室内空間と室外空間との境界となっている壁９３の開口部内に設置されている。図２の設置例におけるＡ−Ａ断面図を図３に示す。
【００２２】
図３において、壁９３の開口部には、窓ガラス１０が設けられている。また、遮光部１１は、窓ガラス１０の全面または一部の領域を覆うように備えられている。また、室外センサ１２は、窓ガラス１０に対して室外側に設置されている。また室内センサ１３および遮光制御部１４は、窓ガラス１０に対して室内側に設置されている。なお、窓ガラス１０は本発明における透明仕切部材の一実施形態を構成している。
【００２３】
図１〜図３を参照して、空間仕切装置１の構成について説明する。
【００２４】
遮光部１１は、室内空間と室外空間との間での通過光量を調節可能である。
【００２５】
例えば、遮光部１１は、印可電圧に応じて透過率を変化させることにより通過光量を調整可能な液晶フィルムによって構成されていてもよい。この場合、遮光部１１は、印可電圧に応じて、半透明、透明、不透明と変化する。すなわち、遮光部１１は、透過率が所定の通常値のとき半透明となり、透過率が通常値より大きい所定値以上のとき透明となり、透過率が通常値より小さい所定値以下のとき不透明となる。
【００２６】
また、この場合、遮光部１１は、窓ガラス１０を合わせガラスとして構成することにより、合わせガラスに挟持されていてもよい。あるいは、遮光部１１は、窓ガラス１０の表面に貼り付けられていてもよい。
【００２７】
あるいは、遮光部１１は、角度調節可能な複数のルーバーを有するブラインドによって構成されていてもよい。この場合、遮光部１１は、ルーバーの角度を調節する調節機構を有し、調節機構に入力される制御信号に応じて、通過光量が所定の通常値より大きい開状態、通過光量が通常値の通常状態、通過光量が通常値より少ない閉状態と変化する。
【００２８】
また、この場合、遮光部１１は、窓ガラス１０を複層ガラスとして構成することにより、複層ガラスの中空部に内蔵されていてもよい。あるいは、遮光部１１は、壁９３の開口部の上辺に取り付けられた支持体から吊持されていてもよい。
【００２９】
このように、遮光部１１は、液晶フィルムやブラインドに限らず、室内空間と室外空間との間での通過光量を調節可能な採光部材や透光部材によって構成可能である。
【００３０】
また、遮光部１１は、窓ガラス１０のほぼ全ての領域を覆っていてもよいし、一部の領域を覆っていてもよい。なお、遮光部１１は、窓ガラス１０の一部の領域を覆う場合、室外空間からの視線が向けられる領域と、室内空間からの視線が向けられる領域とを覆うように備えられることが望ましい。
【００３１】
また、遮光部１１は、窓ガラス１０に限らず、その他の透明仕切部材に備えられていてもよい。
【００３２】
また、遮光部１１は、窓ガラス１０が無い状態で、室内空間および室外空間の境界である壁９３の開口部内に配置されていてもよい。
【００３３】
室外センサ１２は、室外空間の所定範囲にある人体を検知する。例えば、室外センサ１２は、赤外線検出素子および信号処理回路を含んで構成されていてもよい。この場合、室外センサ１２は、検知範囲内の物体から放射される赤外線の変化が人体によるものであると判断したときに検出信号を出力する。
【００３４】
あるいは、室外センサ１２は、カメラおよび信号処理回路を含んで構成されていてもよい。この場合、室外センサ１２は、カメラによって検知範囲を撮像し、画像解析により撮像画像内に人体を認識したと判断したときに検出信号を出力する。
【００３５】
また、図３の例では、室外センサ１２は、室外空間の所定範囲ａを検知範囲とするよう、窓ガラス１０の上端部の室外側に設置されている。また、室外センサ１２の検知範囲は、室外空間において、窓ガラス１０を介して室内空間を視認可能な範囲に設定されていることが望ましい。なお、室外センサ１２は、室外空間の所定範囲を検知範囲とする場所であれば、その他の場所に設置されていてもよい。
【００３６】
室内センサ１３は、室内空間における人体の行動に関連して発生する事象を検出する。例えば、室内センサ１３は、窓ガラス１０に対する室内空間からの接触を検出する接触センサによって構成されていてもよい。
【００３７】
この場合、室内センサ１３は、透明電導性フィルムを用いて構成され、窓ガラス１０の室内空間側の表面に貼り付けられていてもよい。窓ガラス１０に貼り付けられた室内センサ１３は、窓ガラス１０に対する接触が有ると検出信号を出力する。
【００３８】
また、この場合、室内センサ１３は、窓ガラス１０のほぼ全ての領域を覆うように窓ガラス１０に貼り付けられていてもよいし、一部の領域を覆うように貼り付けられていてもよい。なお、このとき、室内センサ１３が窓ガラス１０を覆う領域は、遮光部１１が窓ガラス１０を覆う領域とほぼ同一であることが望ましい。
【００３９】
あるいは、室内センサ１３は、室内空間にいる人体の視線が窓ガラス１０に向いたことを検出する装着型の視線センサであってもよく、その他、室内空間における人体の行動に関連して発生する事象を検出するセンサであればよい。
【００４０】
遮光制御部１４は、ＣＰＵ（Central Processing Unit）と、ＲＡＭ（Random Access Memory）と、ＲＯＭ（Read Only Memory）と、接続インタフェースモジュールとを備えたマイクロコンピュータによって構成されている。遮光制御部１４は、接続インタフェースモジュールを介して、遮光部１１、室外センサ１２および室内センサ１３に接続されている。また、遮光制御部１４は、ＲＯＭに記憶されたコンピュータ・プログラムをＣＰＵがＲＡＭに読み込んで実行することにより動作する。
【００４１】
また、遮光制御部１４は、遮光部１１の通過光量を調整するよう遮光部１１を制御する。
【００４２】
具体的には、遮光制御部１４は、室外センサ１２によって人体が検知された場合に、遮光部１１の通過光量を通常値より小さくする。このとき、遮光制御部１４は、室内センサ１３による検出内容に係わらず、室外センサ１２によって人体が検知されれば遮光部１１の通過光量を通常値より小さくする。
【００４３】
また、遮光制御部１４は、室外センサ１２によって人体が検知されず、室内センサ１３によって検出される事象が所定の状況を満たす場合、遮光部１１の透過率を通常値より大きくする。
【００４４】
つまり、遮光制御部１４は、室内センサ１３により所定の条件を満たす事象が検出されている間であっても、室外センサ１２により室外空間の所定範囲に人体が検知された場合は、遮光部１１の通過光量を通常値より大きくする。
【００４５】
また、遮光制御部１４は、室外センサ１２による検知がなく、室内センサ１３による検出内容が所定の条件を満たさない場合は、遮光部１１の通過光量を通常値にする。
【００４６】
例えば、遮光部１１が液晶フィルムによって構成され、室内センサ１３が接触センサによって構成される場合について説明する。
【００４７】
この場合、遮光制御部１４は、室外センサ１２によって人体が検知された場合に、遮光部１１を構成する液晶フィルムに対する印可電圧を変化させることにより、液晶フィルムを不透明にする。
【００４８】
また、遮光制御部１４は、室外センサ１２によって人体が検知されず、室内センサ１３によって窓ガラス１０に対する室内空間側からの接触が検出されている間、遮光部１１を構成する液晶フィルムに対する印可電圧を変化させることにより、液晶フィルムを透明にする。
【００４９】
また、遮光制御部１４は、室外センサ１２による人体の検知および室内センサ１３による接触の検知のいずれも無い場合は、遮光部１１を構成する液晶フィルムに対する印可電圧を変化させることにより、液晶フィルムを半透明にする。
【００５０】
以上のように構成された空間仕切装置１の動作について図４を用いて説明する。
【００５１】
まず、遮光制御部１４は、室外センサ１２によって所定範囲に人体が検知されたか否かを判断する（ステップＳ１１）。
【００５２】
ここで、所定範囲に人体が検知されたと判断した場合、遮光制御部１４は、遮光部１１の通過光量を通常値より小さくする（ステップＳ１２）。
【００５３】
例えば、遮光部１１が液晶フィルムで構成される場合、遮光制御部１４は、液晶フィルムに対する印可電圧を変化させることにより、液晶フィルムを不透明にする。
【００５４】
ステップＳ１２を実行後、空間仕切装置１はステップＳ１１からの動作を再度実行する。
【００５５】
一方、ステップＳ１１において、所定範囲に人体が検知されなかったと判断した場合、遮光制御部１４は、室内センサ１３によって検出される室内空間の事象が所定の条件を満たすか否かを判断する（ステップＳ１３）。
【００５６】
例えば、遮光制御部１４は、室内センサ１３を構成する接触センサによって窓ガラス１０に対する室内空間側からの接触が検知されたか否かを判断する。
【００５７】
ここで、室内センサ１３によって検出された事象が所定の条件を満たすと判断した場合、遮光制御部１４は、遮光部１１の通過光量を通常値より大きくする（ステップＳ１４）。
【００５８】
例えば、遮光部１１が液晶フィルムで構成される場合、遮光制御部１４は、液晶フィルムに対する印可電圧を変化させることにより、液晶フィルムを透明にする。
【００５９】
ステップＳ１４を実行後、空間仕切装置１は、ステップＳ１１からの動作を再度実行する。ステップＳ１４を実行後ステップＳ１１からの動作を繰り返すことにより、空間仕切装置１は、室内空間で発生する事象が所定の条件を満たしている間であっても、室外センサ１２によって人体が検知されれば、液晶フィルムを不透明にすることになる。
【００６０】
一方、ステップＳ１３において、室内センサ１３によって検知された事象が所定の条件を満たさないと判断された場合、遮光制御部１４は、遮光部１１の通過光量を通常値にする（ステップＳ１５）。
【００６１】
例えば、遮光部１１が液晶フィルムで構成される場合、遮光制御部１４は、液晶フィルムに対する印可電圧を変化させることにより、液晶フィルムを半透明にする。
【００６２】
ステップＳ１５を実行後、空間仕切装置１はステップＳ１１からの動作を再度実行する。
【００６３】
以上で、空間仕切装置１の動作の説明を終了する。
【００６４】
次に、図５を参照して空間仕切装置１の動作例について説明する。なお、図５において、遮光部１１は液晶フィルムによって構成され、室内センサ１３は接触センサによって構成されているものとする。
【００６５】
図５（ａ）は、室内の人間が窓ガラス１０を手で触っている場合の空間仕切装置１の動作状態を示す模式図である。図５（ａ）において、遮光制御部１４は、室外センサ１２によって人体が検知されず（ステップＳ１１でＮｏ）、室内センサ１３によって窓ガラス１０に対する接触を検知しているので（ステップＳ１３でＹｅｓ）、遮光部１１を透明に変化させる（ステップＳ１４）。
【００６６】
図５（ｂ）は、この図５（ａ）の状態から、室外空間の所定範囲に人体が進入した場合の空間仕切装置１の動作状態を示す模式図である。図５（ｂ）において、遮光制御部１４は、室外センサ１２によって所定範囲に人体が検知されたので（ステップＳ１１でＹｅｓ）、室内センサ１３によって接触が検知されていても、遮光部１１を不透明に変化させる（ステップＳ１２）。
【００６７】
図５（ｂ）の状態から、室外空間の所定範囲から人体が退出後の空間仕切装置１の動作状態は、再び図５（ａ）の状態に戻る。すなわち、遮光制御部１４は、室外センサ１２によって人体が検知されなくなり（ステップＳ１１でＮｏ）、室内センサ１３によって窓ガラス１０に対する接触を検知しているので（ステップＳ１３でＹｅｓ）、遮光部１１を透明に変化させる（ステップＳ１４）。
【００６８】
図５（ｃ）は、図５（ａ）の状態から、室内の人間が窓ガラス１０から手を離した場合の空間仕切装置１の動作状態を示す模式図である。図５（ｃ）において、遮光制御部１４は、室外センサ１２によって人体が検知されず（ステップＳ１１でＮｏ）、室内センサ１３によって窓ガラス１０に対する接触が検知されないので（ステップＳ１３でＮｏ）、遮光部１１を半透明に変化させる。
【００６９】
以上で、空間仕切装置１の動作例の説明を終了する。
【００７０】
次に、本発明の第１の実施の形態の効果について述べる。
【００７１】
本発明の第１の実施の形態としての空間仕切装置は、室内空間と室外空間とを仕切る空間仕切装置において、プライバシー保護性能を向上させながらも利用者の状況に則した眺望性を確保することができる。
【００７２】
その理由は、室外センサによって人体を検知した場合には、室内センサによる検知状況に係わらず遮光部の通過光量を小さくすることにより、室外空間から室内空間への視線遮蔽度を高めるからである。また、室外センサによって人体を検知しない場合には、人体の行動に関連して発生する事象が所定の条件を満たすときに遮光部の通過光量を大きくするためである。これにより、室内空間にいる利用者が眺望性を要求する状況にある場合に、室内空間から室外空間への眺望性を確保することができるからである。
【００７３】
（第２の実施の形態）
次に、本発明の第２の実施の形態について図面を参照して詳細に説明する。なお、本実施の形態の説明で参照する各図面において、本発明の第１の実施の形態と同一の構成要素および同様に動作するステップには同一の符号を付して本実施の形態における詳細な説明を省略する。
【００７４】
まず、本発明の第２の実施の形態としての空間仕切装置２の機能ブロック構成を図６に示す。図６において、空間仕切装置２は、液晶フィルム２１と、室外センサ１２と、接触センサ２３と、音センサ２５と、遮光制御部２４とを備えている。
【００７５】
ここで、液晶フィルム２１は、本発明の遮光部の一実施形態を構成している。また、接触センサ２３および音センサ２５は、本発明の室内センサの一実施形態を構成している。
【００７６】
空間仕切装置２の設置例について説明する。空間仕切装置２は、一例として、本発明の第１の実施の形態と同様に図２における壁９３の開口部に設置される。空間仕切装置２の図２におけるＡ−Ａ断面図を図７に示す。図７において、液晶フィルム２１は、窓ガラス１０の全面または一部の領域を覆うように備えられている。また、接触センサ２３、音センサ２５および遮光制御部２４は、窓ガラス１０に対して室内空間側に設置されている。
【００７７】
図６〜図７を参照して、空間仕切装置２の構成について説明する。
【００７８】
液晶フィルム２１は、本発明の第１の実施の形態における遮光部１１の一例として説明した液晶フィルムと同様に、印可電圧に応じて透過率を変化させるものである。
【００７９】
また、液晶フィルム２１は、印可電圧に応じて、半透明、透明、不透明と変化する。すなわち、液晶フィルム２１は、透過率が所定の通常値のとき半透明となり、透過率が通常値より大きい所定値以上のとき透明となり、透過率が通常値より小さい所定値以下のとき不透明となる。
【００８０】
接触センサ２３は、窓ガラス１０に対する室内空間側からの触圧を検出する。例えば、接触センサ２３は、透明電導性フィルムによって構成され、窓ガラス１０の室内空間側の表面に貼り付けられることにより触圧を検出する。
【００８１】
音センサ２５は、室内空間で発生する音声を検知する。例えば、音センサ２５はマイクおよび信号処理回路によって構成される。
【００８２】
遮光制御部２４は、室外センサ１２によって人体が検知された場合に、印可電圧を変化させて液晶フィルム２１を不透明にする。
【００８３】
また、遮光制御部２４は、室外センサ１２によって人体が検知されず、接触センサ２３によって検出される触圧が閾値より大きい間、印可電圧を変化させて液晶フィルム２１を透明にする。
【００８４】
ここで、触圧の閾値としては、例えば、窓ガラス１０が手で触れられていることを判断可能な値（例えば、20g/平方cm等）が設定されていることが望ましい。
【００８５】
また、遮光制御部２４は、室外センサ１２によって人体が検知されず、接触センサ２３によって検出される触圧が閾値以下の場合でも、音センサ２５によって開始音が検出されると、液晶フィルム２１を透明にする。
【００８６】
具体的には、遮光制御部２４は、音声解析技術を用いて、あらかじめ記憶した所定の開始音と、音センサ２５によって検出された音声とを比較することにより、開始音が検出されたか否かを判断するようにしてもよい。音声解析技術としては、例えば、オープンソースの連続音声認識エンジンJulius（http://julius.sourceforge.jp/）等を用いればよい。
【００８７】
また、遮光制御部２４は、開始音が検出されて液晶フィルム２１を透明にした時点から所定期間経過すると、液晶フィルム２１を透明な状態から解除する。すなわち、遮光制御部２４は、液晶フィルム２１の透過率を通常値以下にする。
【００８８】
具体的には、遮光制御部２４は、開始音が検出されて液晶フィルム２１を透明にする際に計時を開始し、所定期間経過すると計時を終了するようにする。
【００８９】
また、遮光制御部２４は、計時中に音センサ２５によって終了音が検出されると、計時を終了し、液晶フィルム２１を透明な状態から解除する。
【００９０】
また、遮光制御部２４は、液晶フィルム２１を透明な状態から解除するとき、室外センサ１２によって人体が検知されていれば液晶フィルム２１を不透明にし、人体が検知されていなければ液晶フィルム２１を半透明にする。
【００９１】
また、遮光制御部２４は、室外センサ１２、接触センサ２３および音センサ２５による検知のいずれも無い場合は、液晶フィルム２１を半透明にする。
【００９２】
以上のように構成された空間仕切装置２の動作について、図８を参照して説明する。
【００９３】
まず、遮光制御部２４は、室外センサ１２によって所定範囲に人体が検知されたか否かを判断する（ステップＳ２１）。
【００９４】
ここで、所定範囲に人体が検知されたと判断した場合、遮光制御部２４は、液晶フィルム２１を不透明にする（ステップＳ２２）。
【００９５】
一方、ステップＳ２１で、室外センサ１２によって人体が検知されていない場合、遮光制御部２４は、接触センサ２３からの検出信号に基づいて、窓ガラス１０に対する室内空間側からの触圧が閾値より大きいか否かを判断する（ステップＳ２３）。
【００９６】
ここで、窓ガラス１０に対する触圧が閾値より大きいと判断した場合、遮光制御部２４は、液晶フィルム２１を透明にする（ステップＳ２４）。
【００９７】
ステップＳ２４を実行後、空間仕切装置２はステップＳ２１からの動作を繰り返す。ステップＳ２４実行後にステップＳ２１からの動作を繰り返すことにより、空間仕切装置２は、窓ガラス１０に対する触圧が閾値より大きい間であっても、室外センサ１２によって人体が検知されれば、液晶フィルム２１を不透明にすることになる。
【００９８】
一方、ステップＳ２３において、窓ガラス１０に対する触圧が閾値以下であると判断された場合、遮光制御部２４は、音センサ２５によって室内空間における音声が検出されたか否かを判断する（ステップＳ２５）。
【００９９】
ここで、音センサ２５によって音声が検出されたと判断した場合、遮光制御部２４は、検出された音声が、所定の開始音であるか否かを判断する（ステップＳ２６）。
【０１００】
ここで、検出された音声が所定の開始音であると判断した場合、遮光制御部２４は、計時を開始する（ステップＳ２７）。そして、遮光制御部２４は、液晶フィルム２１を透明にする（ステップＳ２４）。
【０１０１】
ステップＳ２４を実行後、空間仕切装置２はステップＳ２１からの動作を繰り返す。ステップＳ２４実行後にステップＳ２１からの動作を繰り返すことにより、空間仕切装置２は、開始音の検出後であっても、室外センサ１２によって人体が検知されれば、液晶フィルム２１を不透明にすることになる。
【０１０２】
一方、ステップＳ２６で、検出された音声が所定の開始音でないと判断した場合、遮光制御部２４は、検出された音声が、所定の終了音であるか否かを判断する（ステップＳ２８）。
【０１０３】
ここで、検出された音声が所定の終了音であると判断した場合、遮光制御部２４は、計時中であれば計時を終了する（ステップＳ３１）。そして、空間仕切装置２は、ステップＳ２１からの動作を繰り返す。
【０１０４】
ステップＳ３１を実行後にステップＳ２１からの動作を繰り返すことにより、空間仕切装置２は、液晶フィルム２１を透明にした後に終了音を検出したとき、室外に人体を検知しなければ液晶フィルム２１を半透明に戻し、室外に人体を検知すれば液晶フィルム２１を不透明にすることになる。
【０１０５】
一方、ステップＳ２８で、検出された音声が所定の終了音でないと判断した場合、遮光制御部２４は、既に計時を開始しており計時中であるか否かを判断する（ステップＳ２９）。
【０１０６】
ここで、計時中であると判断した場合、遮光制御部２４は、計時開始から所定期間経過したか否かを判断する（ステップＳ３０）。
【０１０７】
ここで、所定期間経過したと判断した場合、遮光制御部２４は、計時を終了する（ステップＳ３１）。そして、空間仕切装置２は、ステップＳ２１からの動作を繰り返す。
【０１０８】
ステップＳ３１を実行後にステップＳ２１からの動作を繰り返すことにより、空間仕切装置２は、液晶フィルム２１を透明にしてから所定期間経過したときに、室外に人体を検知しなければ液晶フィルム２１を半透明に戻し、室外に人体を検知すれば液晶フィルム２１を不透明にすることになる。
【０１０９】
一方、ステップＳ３０で、所定期間経過していないと判断した場合、遮光制御部２４は、液晶フィルム２１を透明のままにする（ステップＳ２４）。
【０１１０】
そして、ステップＳ２４を実行後、空間仕切装置２はステップＳ２１からの動作を繰り返す。
【０１１１】
また、ステップＳ２９で計時中でないと判断した場合、遮光制御部２４は、液晶フィルム２１を半透明にする（ステップＳ３２）。
【０１１２】
ステップＳ３２を実行後、空間仕切装置２は、ステップＳ２１からの動作を繰り返し実行する。
【０１１３】
以上で、空間仕切装置２の動作の説明を終了する。
【０１１４】
次に、図９を参照し、空間仕切装置２が室内空間で発生する音声を検出した場合の動作例について説明する。なお、空間仕切装置２が窓ガラス１０に対する接触を検出した場合の動作例については、図５を用いて説明した本発明の第１の実施の形態としての空間仕切装置１の動作例と同様であるため本実施の形態における詳細な説明を省略する。
【０１１５】
図９（ａ）は、室内空間にいる人間が、手を１回叩く等の開始音を発生した場合の空間仕切装置２の動作状態を示す模式図である。図９において、遮光制御部２４は、室外センサ１２によって人体が検知されておらず（ステップＳ２１でＮｏ）、接触センサ２３によって検出される触圧が閾値以下であり（ステップＳ２３でＮｏ）、音センサ２５によって開始音が検出されたので（ステップＳ２６でＹｅｓ）、液晶フィルム２１を透明に変化させる（ステップＳ２４）。このとき、遮光制御部２４は、計時を開始する（ステップＳ２７）。
【０１１６】
図９（ｂ）は、図９（ａ）の状態から、室外センサ１２の検知範囲に人体が進入した場合の空間仕切装置２の動作状態を示す図である。図９（ｂ）において、遮光制御部２４は、室外の所定範囲ａに人体を検知するので（ステップＳ２１でＹｅｓ）、液晶フィルム２１を不透明に変化させる（ステップＳ２２）。
【０１１７】
図９（ｃ）は、図９（ｂ）の状態から、室外センサ１２の検知範囲から人体が退出した後の空間仕切装置２の動作状態を示す模式図である。すなわち、遮光制御部２４は、室外センサ１２によって人体が検知されなくなり（ステップＳ２１でＮｏ）、接触センサ２３によって検出される触圧が閾値以下であり（ステップＳ２３でＮｏ）、音センサ２５によって音声が検出されないので（ステップＳ２５でＮｏ）、ステップＳ２９に進む。そして、遮光制御部２４は、計時中であり（ステップＳ２９でＹｅｓ）、所定期間経過していないので（ステップＳ３０でＮｏ）、液晶フィルム２１を再度透明にする（ステップＳ２４）。
【０１１８】
図９（ｄ）は、図９（ｃ）の状態から、室内空間にいる人間が手を２回叩く等の終了音を発生した場合の空間仕切装置２の動作状態を示す模式図である。図９（ｄ）において、遮光制御部２４は、室外センサ１２によって人体が検知されておらず（ステップＳ２１でＮｏ）、接触センサ２３によって検出される触圧が閾値以下であり（ステップＳ２３でＮｏ）、終了音を検出したので（ステップＳ２８でＹｅｓ）、計時を終了する（ステップＳ３１）。このとき、室外センサ１２によって人体が検知されていないので（ステップＳ２１でＮｏ）、遮光制御部２４は、液晶フィルム２１を半透明に変化させる（ステップＳ３２）。
【０１１９】
また、図９（ｃ）の状態から、所定期間が経過した場合の空間仕切装置２の動作状態も図９（ｄ）に示したものと同様になる。すなわち、遮光制御部２４は、計時中であり（ステップＳ２９でＹｅｓ）、所定期間が経過したので（ステップＳ３０でＹｅｓ）、計時を終了し（ステップＳ３１）、液晶フィルム２１を半透明に変化させる（ステップＳ３２）。
【０１２０】
以上で、空間仕切装置２の動作例の説明を終了する。
【０１２１】
次に、本発明の第２の実施の形態の効果について述べる。
【０１２２】
本発明の第２の実施の形態としての空間仕切装置は、プライバシー保護性能を向上させながら利用者の状況に則した眺望性を確保する空間仕切装置の操作性を向上することができる。
【０１２３】
その理由は、室外センサによって人体を検知しない場合には、窓ガラスに触圧を加えている間だけ液晶フィルムを透明にして眺望性を提供するので、利用者は、眺望性を必要とするときに窓ガラスに触れるだけでよいからである。
【０１２４】
さらに、所定の開始音を検出するだけで液晶フィルムを透明にして眺望性を提供することができ、利用者は、窓ガラスに近寄って触圧を与え続けなくても自由に眺望性を操作することができるからである。
【０１２５】
さらなる理由は、液晶フィルムを透明にした後、利用者が終了音を発生させるのを忘れた場合等のように所定の終了音を検出できない場合であっても、所定の期間経過後に液晶フィルムを透明な状態から解除するので、操作性の向上と共にプライバシー保護性能を保つことができるからである。
【０１２６】
（第３の実施の形態）
次に、本発明の第３の実施の形態について図面を参照して詳細に説明する。なお、本実施の形態の説明において参照する各図面において、本発明の第２の実施の形態と同一の構成および同様に動作するステップには同一の符号を付して本実施の形態における詳細な説明を省略する。
【０１２７】
まず、本発明の第３の実施の形態としての空間仕切装置３の機能ブロック構成を図１０に示す。図１０において、空間仕切装置３は、本発明の第２の実施の形態としての空間仕切装置２に対して、遮光制御部２４に替えて遮光制御部３４を備え、さらに、安否センサ３６を備える点が異なる。
【０１２８】
空間仕切装置３の設置例について説明する。空間仕切装置３は、一例として本発明の第１の実施の形態と同様に図２における壁９３の開口部に設置される。空間仕切装置３の図２におけるＡ−Ａ断面図を図１１に示す。図１１において、遮光制御部３４は、本発明の第２の実施の形態における遮光制御部２４と同様に窓ガラス１０の上端の室内側に設置されている。また、安否センサ３６は、天井９１に設けられた支持体に吊持されている。
【０１２９】
図１０〜図１１を参照して、空間仕切装置３の構成について説明する。
【０１３０】
安否センサ３６は、室内空間にいる人体の安否を確認するための情報を検出するセンサと、例えば、ＺｉｇＢｅｅ（登録商標）、無線ＬＡＮ（Local Area Network）、Ｂｌｕｅｔｏｏｔｈ、または特定小電力無線等を用いた無線通信モジュールとによって構成される。
【０１３１】
ここで、人体の安否を確認するための情報とは、例えば、室内空間における人体の動きを表す情報であってもよい。
【０１３２】
この場合、安否センサ３６は、物体から放射される赤外線の変化に基づいて人体の動きを検出するセンサを含む。また、安否センサ３６は、赤外線の変化に基づいて人体の動きがあったと判断すると、無線通信モジュールを介して検出信号を送信する。
【０１３３】
あるいは、人体の安否を確認するための情報とは、例えば、家電の使用状況を表す情報や、ドアの開閉状況を表す情報等であってもよい。また、人体の安否を確認するための情報とは、上述の各種情報の組み合わせであってもよい。
【０１３４】
遮光制御部３４を構成するマイクロコンピュータは、本発明の第１および第２の実施の形態における遮光制御部１４および２４を構成するマイクロコンピュータと同一の構成に加えて、さらに、安否センサ３６の無線通信モジュールと通信可能な無線通信モジュールを備えている。
【０１３５】
また、遮光制御部３４は、本発明の第２の実施の形態における遮光制御部２４と同様に構成されるのに加えて、上述の無線通信モジュールを介して、安否センサ３６からの検出信号を取得する。
【０１３６】
遮光制御部３４は、安否センサ３６からの検出信号が、人体が安全であることを表す所定の条件を満たさない場合に、室外センサ１２、接触センサ２３および音センサ２５による検知の有無に係わらず、液晶フィルム２１を透明にする。
【０１３７】
例えば、安否センサ３６が室内空間における人体の動きを検出する場合、遮光制御部３４は、人体の動きが所定の期間検出されない場合に、液晶フィルム２１を透明にする。
【０１３８】
以上のように構成された空間仕切装置３の動作について、図１２を参照して説明する。
【０１３９】
まず、遮光制御部３４は、安否センサ３６から取得した検出信号が所定の条件を満たすか否かを判断する（ステップＳ４１）。
【０１４０】
ここで、安否センサ３６の検出信号が所定の条件を満たさないと判断した場合、遮光制御部３４は、液晶フィルム２１を透明にする（ステップＳ２４）。そして、空間仕切装置３は、ステップＳ４１からの動作を繰り返し実行する。
【０１４１】
一方、安否センサ３６の検出信号が所定の条件を満たすと判断した場合、空間仕切装置３は、ステップＳ２１〜ステップＳ３２まで、本発明の第２の実施の形態としての空間仕切装置２と同様に動作することにより、室外センサ１２、接触センサ２３および音センサ２５からの各検出信号に基づいて、液晶フィルム２１を透明、不透明、または半透明に変化させる。そして、空間仕切装置３は、ステップＳ４１からの動作を繰り返し実行する。
【０１４２】
以上で、空間仕切装置３の動作の説明を終了する。
【０１４３】
次に、図１３を参照して、空間仕切装置３が安否センサ３６の検出信号に基づいて動作する例について説明する。なお、ここでは、安否センサ３６は、室内空間における人体の動きを検出するものとして説明を行う。
【０１４４】
図１３（ａ）は、室内空間にいる人間が倒れて動けなくなっている場合の空間仕切装置３の動作状態を示す模式図である。図１３（ａ）において、遮光制御部３４は、安否センサ３６によって所定の期間（例えば３０分等）人体の動きが検知されていないため（ステップＳ４１でＮｏ）、液晶フィルム２１を透明に変化させる（ステップＳ２４）。
【０１４５】
図１３（ｂ）は、図１３（ａ）の状態から、室外センサ１２の検知範囲に人体が進入した場合の空間仕切装置３の動作状態を示す図である。図１３（ｂ）において、遮光制御部３４は、依然として、安否センサ３６によって人体の動きが検知されていないため（ステップＳ４１でＮｏ）、室外センサ１２によって人体が検知されたことに係わらず、液晶フィルム２１を透明のままとしている（ステップＳ２４）。これにより、室外を通行した人間に、室内空間にいる人間が倒れていることを視認させることが可能となる。
【０１４６】
次に、本発明の第３の実施の形態の効果について説明する。
【０１４７】
本発明の第３の実施の形態としての空間仕切装置は、プライバシー保護性能を向上させ利用者の状況に則した眺望性を確保しながら、さらに室内にいる利用者に対する安否確認を支援することができる。
【０１４８】
その理由は、室内に備えた安否センサからの検出信号に基づいて、室内にいる人体の安全が確認できない場合には、室外センサおよび室内センサによる検出内容に係わらず、遮光部の通過光量を通常値より大きくして室外から室内を視認可能にするからである。
【０１４９】
なお、上述の各実施の形態において、空間仕切装置が、図２に示したように天井、床および壁を有する室内空間において壁の開口部に設置される例について説明した。しかしながら、本発明における空間仕切装置は、空間を間仕切りする間仕切り構造に適用されてもよい。この場合、本発明の空間仕切装置が適用される間仕切り構造は、壁の開口部に設置されていなくてもよく、例えば、移動可能な間仕切り用パネル等であってもよい。
【０１５０】
また、上述の各実施の形態において、本発明の遮光部として主に液晶フィルムを適用した例について説明しているが、液晶を用いて透過率を調節可能な他の液晶モジュールを適用してもよい。
【０１５１】
また、各実施の形態における遮光部として、室内空間および室外空間との間の通過光量を調節可能なものであれば、液晶モジュール以外の他の採光部材や透光部材を適用可能である。
【０１５２】
また、例えばブラインド等のように、通過光量を調節する調節機構を有する部材を遮光部に適用する場合、本発明の遮光制御部は、調節機構に制御信号を送ることにより遮光部の通過光量を制御するようにする。
【０１５３】
また、各実施の形態において室内センサとして接触センサおよび音センサを適用した例について説明しているが、各実施の形態における室内センサとして、室内空間における人体の行動に関連して発生する事象を検出するその他のセンサを適用してもよい。
【０１５４】
また、各実施の形態における室外センサ、室内センサおよび安否センサは、それぞれ１種類のセンサで構成してもよいし、複数種類のセンサの組み合わせによって構成してもよい。
【０１５５】
また、上述した本発明の各実施の形態において、各フローチャートを参照して説明した空間仕切装置の動作を、本発明のコンピュータ・プログラムとして遮光制御部の記憶装置（記憶媒体）に格納しておき、係るコンピュータ・プログラムを当該ＣＰＵが読み出して実行するようにしてもよい。このような場合において、本発明は、係るコンピュータ・プログラムのコード或いは記憶媒体によって構成される。
【０１５６】
また、上述した各実施の形態は、適宜組み合わせて実施されることが可能である。
【０１５７】
また、本発明は、上述した各実施の形態に限定されず、様々な態様で実施されることが可能である。
【０１５８】
また、上記の実施形態の一部又は全部は、以下の付記のようにも記載されうるが、以下には限られない。
（付記１）
室内空間と室外空間との境界に設けられ、前記室内空間と前記室外空間との間での通過光量を調節可能な遮光部と、
前記室外空間の所定範囲における人体を検知する室外センサと、
前記室内空間における人体の行動に関連して発生する事象を検出する室内センサと、
前記室外センサによって前記人体が検知された場合、前記室内センサによる検出内容に係わらず、前記通過光量を所定の通常値より少なくし、前記室外センサによって前記人体が検知されず、前記室内センサによって検出された事象が所定の条件を満たす場合に前記通過光量を前記通常値より多くするよう前記遮光部を制御する遮光制御部と、
を備えた空間仕切装置。
（付記２）
前記遮光部は、前記室内空間と前記室外空間との境界に設けられた透明仕切部材に備えられ、印可電圧に応じて透過率が変化する液晶モジュールであり、
前記遮光制御部は、前記遮光部に対する印可電圧を変化させることにより前記遮光部の透過率を制御することを特徴とする付記１に記載の空間仕切装置。
（付記３）
前記室内センサは、前記透明仕切部材に対する室内空間側からの接触を検出する接触センサを含み、
前記遮光制御部は、前記室外センサによって前記人体が検知されず、前記接触センサによって前記透明仕切部材に対する接触が検出されている間、前記通過光量を前記通常値より多くするよう前記遮光部を制御することを特徴とする付記２に記載の空間仕切装置。
（付記４）
前記接触センサは、前記透明仕切部材に対する室内空間側からの触圧を検出し、
前記遮光制御部は、前記室外センサによって前記人体が検知されず、前記接触センサによって検出される触圧が閾値より大きい間、前記通過光量を前記通常値より多くするよう前記遮光部を制御することを特徴とする付記３に記載の空間仕切装置。
（付記５）
前記室内センサは、前記室内空間で発生する音声を検出する音センサを含み、
前記遮光制御部は、前記室外センサによって前記人体が検知されず、前記音センサによって検出された音声が所定の開始音である場合に、前記通過光量を前記通常値より多くするよう前記遮光部を制御することを特徴とする付記１から付記４のいずれかに記載の空間仕切装置。
（付記６）
前記遮光制御部は、前記所定の開始音が検出されて前記通過光量を前記通常値より多くした後に、前記音センサによって所定の終了音が検出された場合に、前記通過光量を前記通常値以下にするよう前記遮光部を制御することを特徴とする付記５に記載の空間仕切装置。
（付記７）
前記遮光制御部は、前記所定の開始音が検出されて前記通過光量を前記通常値より多くした時点から所定期間経過後に、前記通過光量を前記通常値以下にするよう前記遮光部を制御することを特徴とする付記５または付記６に記載の空間仕切装置。
（付記８）
前記室内空間における人体の安否を確認するための情報を検出する安否センサをさらに備え、
前記遮光制御部は、前記安否センサによって検出される情報が、前記室内空間における人体の安全を表す所定の条件を満たさない場合、前記室外センサによる検知の有無および前記室内センサによる検出内容に係わらず、前記通過光量を前記通常値より大きくすることを特徴とする付記１から付記７のいずれかに記載の空間仕切装置。
（付記９）
前記安否センサは、前記室内空間における人体の動きを検出するセンサを含み、
前記遮光制御部は、前記室内空間における人体の動きが所定期間検出されない場合、前記通過光量を前記通常値より大きくすることを特徴とする付記８に記載の空間仕切装置。
（付記１０）
室内空間と室外空間との境界に設けられ、前記室内空間と前記室外空間との間での通過光量を調節可能な遮光部と、前記室外空間の所定範囲における人体を検知する室外センサと、前記室内空間における人体の行動に関連して発生する事象を検出する室内センサとを用いて、
前記室外センサによって前記人体が検知された場合に、前記室内センサによる検出内容に係わらず、前記通過光量を所定の通常値より少なくするよう前記遮光部を制御し、
前記室外センサによって前記人体が検知されず、前記室内センサによって検出された事象が所定の条件を満たす場合に前記通過光量を前記通常値より多くするよう前記遮光部を制御する、空間仕切方法。
（付記１１）
前記遮光部として、前記室内空間と前記室外空間との境界に設けられた透明仕切部材に備えられ、印可電圧に応じて透過率が変化する液晶モジュールを用いて、
前記遮光部を制御する際に、前記遮光部に対する印可電圧を変化させることにより前記遮光部の透過率を制御することを特徴とする付記１０に記載の空間仕切方法。
（付記１２）
室内空間と室外空間との境界に設けられ、前記室内空間と前記室外空間との間での通過光量を調節可能な遮光部を、前記室外空間の所定範囲における人体を検知する室外センサと、前記室内空間における人体の行動に関連して発生する事象を検出する室内センサとを用いて制御するコンピュータ装置に、
前記室外センサによって前記人体が検知された場合に、前記室内センサによる検出内容に係わらず、前記通過光量を所定の通常値より少なくするよう前記遮光部を制御する室外センサ検知ステップと、
前記室外センサによって前記人体が検知されず、前記室内センサによって検出された事象が所定の条件を満たす場合に、前記通過光量を前記通常値より多くするよう前記遮光部を制御する室内センサ検出ステップと、
を実行させるコンピュータ・プログラム。
（付記１３）
前記遮光部が、前記室内空間と前記室外空間との境界に設けられた透明仕切部材に備えられ、印可電圧に応じて透過率が変化する液晶モジュールであるとき、
前記室外センサ検知ステップにおいて、前記遮光部の透過率を前記通常値より少なくするよう前記遮光部に対する印可電圧を変化させ、
前記室内センサ検出ステップにおいて、前記遮光部の透過率を前記通常値より多くするよう前記遮光部に対する印可電圧を変化させることを特徴とする付記１２に記載のコンピュータ・プログラム。
【符号の説明】
【０１５９】
１、２、３    空間仕切装置
１０    窓ガラス
１１    遮光部
１２    室外センサ
１３    室内センサ
１４、２４、３４    遮光制御部
２１    液晶フィルム
２３    接触センサ
２５    音センサ
３６    安否センサ
【図１】
0005385232.tif 000002
【図２】
0005385232.tif 000003
【図３】
0005385232.tif 000004
【図４】
0005385232.tif 000005
【図５】
0005385232.tif 000006
【図６】
0005385232.tif 000007
【図７】
0005385232.tif 000008
【図８】
0005385232.tif 000009
【図９】
0005385232.tif 000010
【図１０】
0005385232.tif 000011
【図１１】
0005385232.tif 000012
【図１２】
0005385232.tif 000013
【図１３】
0005385232.tif 000014